(57)【要約】【課題】被検眼に対する眼底カメラの保持状態を気にすること無く、所望する状態の撮影画像を容易に得ることができる眼底カメラを提供する。【解決手段】被検眼眼底を撮影する手持ち式の眼底カメラにおいて、撮影用の照明光により照明された眼底を撮影する撮影手段が配置された撮影光学系と、撮影手段を撮影光軸の軸回りに回転する回転手段と、を備える。【選択図】　　　　図１
2004121436.tif 000002
【特許請求の範囲】
【請求項１】
被検眼眼底を撮影する手持ち式の眼底カメラにおいて、撮影用の照明光により照明された眼底を撮影する撮影手段が配置された撮影光学系と、前記撮影手段を撮影光軸の軸回りに回転する回転手段と、を備えることを特徴とする眼底カメラ。
【請求項２】
請求項１の眼底カメラは、観察用の照明光により照明された眼底を観察するための撮像素子が配置された観察光学系と、前記撮像素子により撮像された観察画像を表示する表示手段と、前記撮影手段の回転に連動して前記撮像素子を観察光軸の軸回りに回転する回転連動手段と、を備えることを特徴とする眼底カメラ。
【請求項３】
請求項１又は２の眼底カメラにおいて、左右眼用の固視標を切換え呈示可能な固視標呈示光学系と、前記撮像手段の回転に連動して前記左右眼用の固視標を光軸回りに回転する固視標回転手段と、を備えることを特徴とする眼底カメラ。
【発明の詳細な説明】
【０００１】
【発明の属する技術分野】
本発明は、被検眼眼底を撮影する手持ち式の眼底カメラに関する。
【０００２】
【従来の技術】
被検眼眼底を撮影する眼底カメラにおいて、撮影ユニット部が手持ち式のものが知られている（特許文献１参照）。この種の眼底カメラは、被検者が横臥状態であるなど、据え置き型の眼底カメラでの撮影に適さない被検者に用いることができる。
【０００３】
【特許文献１】
特開平９−２０６２８０
【０００４】
【発明が解決しようとする課題】
しかし、手持ち式の眼底カメラにおいては、撮影画像の角度は撮影時の撮影ユニットの保持位置により決定されるため、据え置き型の眼底カメラで得られる通常の画像とは異なった回転角度のまま撮影される。例えば、被検者が横臥状態になっている際には被検者の横に立って撮影するが、この場合、立位の被検者と同じ状態の向きで撮影ユニットを安定して保持するのは困難であり、保持し易いように撮影すると、撮影画像が傾いた画像となる（図５参照）。これをそのまま記録保存すると、診断の際には眼底画像の回転方向を気にしなくてはならないので、観察がしづらく、煩わしいものとなる。また、このように傾いた画像を後で観察した場合、撮影画像が左眼か右眼かの区別もしづらい。
【０００５】
本発明は、上記従来技術の問題点に鑑み、被検眼に対する眼底カメラの保持状態を気にすること無く、所望する状態の撮影画像を容易に得ることができる眼底カメラを提供することを技術課題とする。
【０００６】
【課題を解決するための手段】
本発明は上記課題を解決するため、以下に記載するような構成を備える事を特徴とする。
（１）　被検眼眼底を撮影する手持ち式の眼底カメラにおいて、撮影用の照明光により照明された眼底を撮影する撮影手段が配置された撮影光学系と、前記撮影手段を撮影光軸の軸回りに回転する回転手段と、を備えることを特徴とする。
（２）　（１）の眼底カメラは、観察用の照明光により照明された眼底を観察するための撮像素子が配置された観察光学系と、前記撮像素子により撮像された観察画像を表示する表示手段と、前記撮影手段の回転に連動して前記撮像素子を観察光軸の軸回りに回転する回転連動手段と、を備えることを特徴とする。
（３）　（１）又は（２）の眼底カメラにおいて、左右眼用の固視標を切換え呈示可能な固視標呈示光学系と、前記撮像手段の回転に連動して前記左右眼用の固視標を光軸回りに回転する固視標回転手段と、を備えることを特徴とする。
【０００７】
【実施の形態】
以下、本発明の実施形態を図面に基づいて説明する。図１は本発明に係る眼底カメラの概略構成を示す図である。
実施形態の眼底カメラは、手持ち操作に適する筐体に観察や撮影のための光学系を収納した撮影ユニット部１、撮影ユニット部１を制御するとともに撮影用光源が配置されたコントロールユニット部２に大別構成されている。撮影ユニット部１の光学系が収納された本体部１ａの下には、手で持つ部分となる把持部１ｂが設けられている。５３はノブで、撮影ユニット１に配置されている観察用ＣＣＤカメラ及び撮影用ＣＣＤカメラ（後述する）を回転させるときに使用する。また、コントロールユニット部２にはタッチパネル機能が設けられたカラーのモニタ３が設けられている。コントロールユニット部２の撮影用フラッシュ光源からの照明光はファイババンドル４を介して撮影ユニット部１内の光学系に導光される。
【０００８】
図２は眼底カメラの光学系を示す図である。光学系は、観察照明光学系、撮影照明光学系、観察・撮影光学系、固視標呈示光学系からなる。
＜観察照明光学系＞　１１は赤外発光ダイオード等の観察用照明光源である、１２は拡散板、１３はダイクロイックミラーであり、ダイクロイックミラー１３は赤外光を反射するとともに、撮影用の可視光を透過する特性を持つ。１４はコンデンサレンズ、１５はスリット板であり、中心部にピンホール開口と光軸を中心としたリングスリット開口を備えている。１６は投光レンズ、１７はハーフミラーである。１９は黒色吸収体であり、ハーフミラー１７を透過した照明光束を吸収することにより、観察・撮影光学系に不要なノイズ光が入射することを防止する。１８は被検眼を示す。
【０００９】
＜撮影照明光学系＞　コントロールユニット部２には撮影用のフラッシュ光源３１、コンデンサレンズ３２が設けられており、撮影用の照明光束はファイババンドル４を介して撮影ユニット部１に導光される。撮影ユニット部１内の撮影照明光学系は、観察照明光学系のダイクロイックミラー１３からハーフミラー１７までの光路を共用する。
【００１０】
＜観察・撮影光学系＞　２１は対物レンズ、２２は被検眼１８の瞳孔と共役になる位置に配置された撮影絞りである。２３はフォーカシングレンズであり、被検眼の屈折力に合わせての調整を行うために、図示なきレンズ移動機構により光軸方向に移動可能である。２４は結像レンズ、２５はダイクロイックミラーである。ダイクロイックミラー２５は赤外光及び可視光の一部を反射させ、可視光の大部分を透過させる特性を備える。２６は撮影用のＣＣＤカメラである。２７は光路を延長するためのリレーレンズ、２８はハーフミラー、２９は観察用の撮像手段としての赤外ＣＣＤカメラである。
【００１１】
＜固視標呈示光学系＞　ハーフミラー２８の透過方向には、固視標としてのＬＥＤ３５が配置されている。固視標呈示光学系はハーフミラー２８を介して、ダイクロイックミラー２５から対物レンズ２１までの光路を共用する。ＬＥＤ３５は、レバー３６の操作により、ＣＣＤカメラ２９の撮像面（すなわち、被検眼眼底）と略共役な平面内で移動可能な構成とされている。検者は、レバー３６を移動操作することにより、被検眼眼底を所望する撮影位置に誘導できる。
【００１２】
図３は観察用ＣＣＤカメラ２９と撮影用ＣＣＤカメラ２６の回転機構を説明する図である。回転シャフト５０ａに取り付けられた傘歯車５１ａと、回転シャフト５０ｂに取り付けられた傘歯車５１ｂとには、ノブ５３の回転軸５３ａに取り付けられた傘歯車５２が噛み合っている。ノブ５３を回転すると、回転シャフト５０ａと回転シャフト５０ｂは、互いに逆方向に回転する。回転シャフト５０ａにはプーリ５４が取り付けられており、このプーリ５４とＣＣＤカメラ２９に固定されたプーリ５５との間にはタイミングベルト５６が掛け渡されている。同様に、回転シャフト５０ｂにはプーリ５７が取り付けられており、このプーリ５７とＣＣＤカメラ２６に固定されたプーリ５８との間にはタイミングベルト５９が掛け渡されている。このような機構により、ノブ５３を回転すると、ＣＣＤカメラ２６及びＣＣＤカメラ２９は連動して回転する。なお、ＣＣＤカメラ２６及びＣＣＤカメラ２９は、それぞれ撮影光軸及び観察光軸の軸回りに同じ回転角度で回転するように、各プーリが取り付けられている。本実施形態では、ノブ５３を手で回転操作するものであるが、モータにより電動で回転させる構成でも良い。
【００１３】
図４は本眼底カメラの制御系ブロック図を示す。４１はモニタ３の表示を制御する表示制御部であり、ＣＣＤカメラ２９及びＣＣＤカメラ２６の出力が入力され、モニタ３に表示する画像の切換機能も兼ねる。４０はシステム制御部であり、表示制御部４１、記憶部４４、フラッシュランプ３１、光源１１、撮影スイッチ４５、等が接続されている。
【００１４】
以上のような構成を持つ眼底カメラにおいて、以下にその動作を説明する。ここでは、図５のように、被検者はベッドに横臥状態になっており、検者は被検者の横に立って右眼を撮影するものとして説明する。この場合、被検者が立位のときと同じ向きで撮影ユニット部１を手で保持するのは難しいが、撮影ユニット部１の下側（把持部１ｂの取り付けられた側）を被検者の顔の側方に持ってくると、撮影ユニット部１を安定して保持できる。なお、コントロールユニット部２は、テーブル等に置いて、モニタ３を検者が観察し易い位置に設置しておく。
【００１５】
観察時には光源１１を点灯する。光源１１の点灯により赤外光により照明された被検眼は、ＣＣＤカメラ２９により撮像される。その画像はモニタ３に表示される。最初は被検眼の前眼部像が映し出される。その画像を観察しながら、撮影ユニット部１の作動距離を調整するように近づけていくと、眼底像が映し出されるようになる。作動距離の調整後、被検眼の屈折力により眼底像がボケるときは、フォーカシングレンズ２３を移動させ、眼底のピントが合うようにする。ピント合わせは、スプリット輝線などの周知のフォーカス指標を使用する構成でも良い。
【００１６】
図５におけるモニタ３上の眼底像８０は、ピント合わせ終了後の観察像を示している。しかし、この画像は、撮影ユニット部１の被検眼に対する角度をそのまま反映しており、視神経乳頭８１が黄斑８２に対して上側（画像上の上側）に位置した状態となっている。これをそのままＣＣＤカメラ２６で撮影すると、据え置き型の眼底カメラでの撮影画像（右眼の場合は、視神経乳頭８１が黄斑８２の左側に来る画像）とは異なった角度となり、診断がしづらくなる。
【００１７】
そこで、ノブ５３を操作し、観察用ＣＣＤカメラ２９及び撮影用ＣＣＤカメラ２６を連動させて回転させると、モニタ３に映し出される画像も回転する。検者は、モニタ３の画像を見ながら検者は所望する角度に眼底像を合わせる。据え置き型の眼底カメラのように、被検者が立位のときと同じ撮影状態にしたい場合は、図６にように、視神経乳頭８１が黄斑８２の左側に来る角度に合わせる。撮影の時点では撮影しようとしている眼が左右何れであるかは分かっているので、回転方向を取り違えることは少ない。観察像が所望の状態に調整できたら、撮影スイッチ４５を押して静止画像を撮影する。なお、観察時には必要に応じてレバー３６を操作することにより、固視標用のＬＥＤ３５を移動させて眼底を誘導し、撮影部位を所望のものとすることができる。
【００１８】
撮影スイッチ４５を押すとフラッシュ光源３１が発光し、被検眼眼底は可視光により照明される。眼底からの反射光は、対物レンズ２１、撮影絞り２２、フォーカシングレンズ２３、結像レンズ２４、ダイクロイックミラー２５を経て、ＣＣＤカメラ２６の撮像面に眼底像を結像する。ＣＣＤカメラ２６はＣＣＤカメラ２９の回転に連動して同角度だけ回転しているので、観察像を同じ状態の眼底像が撮影される。ＣＣＤカメラ２６で撮影された画像は、表示制御部４１が持つメモリに取り込まれた後、モニタ３に映し出される。撮影画像を保存する場合は、図示なきスイッチ（モニタ３のタッチパネルのスイッチ）を押す。表示制御部４１のメモリに一時的に記憶された画像は、記憶部４４に送られて記憶される。こうして、傾きを補正した眼底画像が記憶部４４に記憶されるので、後で再表示して詳細に診断する際にも、撮影時の撮影ユニット１の保持位置（回転角度）を気にすること無く、所望状態の撮影画像を観察できる。
【００１９】
図７は、左右眼用の固視標をＣＣＤカメラ２６及びＣＣＤカメラ２９と連動して回転する機構の構成例を示した図である。図３と同じ部材には、同符号を付している。３７ａは右眼用固視標としてＬＥＤ、３７ｂは左眼用固視標としてのＬＥＤである。ＬＥＤ３７ａ、３７ｂは、固視標呈示光学系の光軸に対して左右対称であり、被検者の視線が被検者の体の中心側に向く様に、回転板３８に取り付けられている。回転板３８はノブ５３の回転軸５３ａに取り付けられている。ノブ５３を回転すると、ＬＥＤ３７ａ、３７ｂは、ＣＣＤカメラ２６及びＣＣＤカメラ２９と連動して固視標呈示光学系の光軸回りに同角度で回転する。
【００２０】
撮影時には、撮影対象の被検眼の左右に応じて、モニタ３上のタッチパネルのスイッチにより左右眼を選択する。その選択信号により、ＬＥＤ３７ａ、３７ｂの点灯が切換えられる。右眼を選択するとＬＥＤ３７ａが点灯する。前述と同様に、ノブ５３を操作し、ＣＣＤカメラ２９及びＣＣＤカメラ２６を連動させて回転させると、モニタ３に映し出される画像も回転する。同時に、ＬＥＤ３７ａも連動して光軸回りに回転し、被検眼の固視が誘導される。これにより、据え置き型の眼底カメラの撮影時と同じ状態の撮影画像を容易に得ることができる。
【００２１】
以上の実施形態では静止画像の撮影手段として電子撮影のＣＣＤカメラを用いたが、フィルム撮影のカメラとすることもできる。また、ＣＣＤカメラ２９及び２６の回転は、観察・撮影光学系を全体的に回転する構成としても良い。
【００２２】
【発明の効果】
以上説明したように、本発明によれば、被検眼に対する眼底カメラの保持状態を気にすること無く、所望する状態の撮影画像を容易に得ることができる。
【図面の簡単な説明】
【図１】本発明に係る眼底カメラの概略構成図である。
【図２】眼底カメラの光学系を示す図である。
【図３】観察用ＣＣＤカメラと撮影用ＣＣＤカメラの回転機構を説明する図である。
【図４】眼底カメラの制御系ブロック図である。
【図５】被検者が横臥状態になっている場合の撮影を説明する図である。
【図６】観察用ＣＣＤカメラと撮影用ＣＣＤカメラを回転し、被検者が立位のときと同じ撮影状態にしたときの観察像を示す図である。
【図７】左右眼用の固視標をＣＣＤカメラ２６及びＣＣＤカメラ２９と連動して回転する機構の構成例を示した図である。
【符号の説明】
１　撮影ユニット部
２　コントロールユニット部
３　モニタ
２６　撮影用ＣＣＤカメラ
２９　観察用ＣＣＤカメラ
５３　ノブ
４０　システム制御部
４１　表示制御部
１１　観察用照明光源
３１　フラッシュ光源
３５，３７ａ，３７ｂ　ＬＥＤ
【図１】
2004121436.tif 000003
【図２】
2004121436.tif 000004
【図３】
2004121436.tif 000005
【図４】
2004121436.tif 000006
【図５】
2004121436.tif 000007
【図６】
2004121436.tif 000008
【図７】
2004121436.tif 000009